(57)【要約】【課題】光ファイバの接続箇所から露光するレーザ光の強度を減衰させるレーザ光減衰装置を提供する。【解決手段】レーザ光を伝搬し、端面同士が向き合わされてなる第１光伝送媒体４及び第２光伝送媒体５と、伸縮機能を持ち、第１光伝送媒体４及び第２光伝送媒体５に固定されてなるスプリング２とを有するレーザ光減衰装置１であり、第１光伝送媒体４から第２光伝送媒体５に外力を加えると、スプリング２が収縮して第１光伝送媒体４と第２光伝送媒体５とが突き合わされ、外力を除くと、スプリング２が復元して第１光伝送媒体４と第２光伝送媒体５とが離隔するようにしたものである。【選択図】        図１
2004264738.tif 000002
【特許請求の範囲】
【請求項１】
レーザ光の強度を減衰するレーザ光減衰装置であって、レーザ光を伝搬し、端面同士が向き合わされてなる二つの光伝送媒体と、前記光伝送媒体同士を繋ぎ合わせる接続部材とを有し、前記光伝送媒体から相対する前記光伝送媒体に外力を加えることにより、前記接続部材が収縮して前記光伝送媒体の端面同士が突き合わされ、前記外力を除くことにより、前記接続部材が復元して前記光伝送媒体の端面同士が離隔することを特徴とするレーザ光減衰装置。
【請求項２】
請求項１において、前記接続部材がスプリングであることを特徴とするレーザ光減衰装置。
【請求項３】
請求項１または２に記載のレーザ光減衰装置を内部に有し、光コネクタを嵌合する光コネクタ受け口であって、前記光コネクタを差し込むことにより、前記接続部材が収縮して前記光伝送媒体の端面同士が突き合わされ、前記光コネクタを引き抜くことにより、前記接続部材が復元して前記光伝送媒体の端面同士が離隔することを特徴とする光コネクタ受け口。
【請求項４】
請求項１または２に記載のレーザ光減衰装置を内部に有し、光ファイバの端面に設けられ、光コネクタ受け口に嵌合される光コネクタであって、前記光コネクタ受け口に差し込むことにより、前記接続部材が収縮して前記光伝送媒体の端面同士が突き合わされ、前記光コネクタ受け口から引き抜くことにより、前記接続部材が復元して前記光伝送媒体の端面同士が離隔することを特徴とする光コネクタ。
【請求項５】
請求項１または２に記載のレーザ光減衰装置を内部に有し、光コネクタ同士を接続する光コネクタ接続アダプタであって、前記光コネクタを差し込むことにより、前記接続部材が収縮して前記光伝送媒体の端面同士が突き合わされ、前記光コネクタを引き抜くことにより、前記接続部材が復元して前記光伝送媒体の端面同士が離隔することを特徴とする光コネクタ接続アダプタ。
【発明の詳細な説明】
【０００１】
【発明の属する技術分野】
本発明は、レーザ光減衰装置、この装置を有する光コネクタ受け口及び光コネクタ並びに光コネクタ接続アダプタに関し、例えば、光通信系や光測定系などに適用されるものである。
【０００２】
【従来の技術】
光ネットワークにおいて、光伝送経路中で光ファイバ同士や光ファイバと機器とを光学的に接続するときに、光コネクタやレセプタクルなどが利用されている。ここで、図６は、従来のレセプタクル（光コネクタ受け口）１０２を示している。レセプタクル１０２は、光コネクタ１０１を嵌合する形状を持ち、この光コネクタ１０１の光伝送媒体１０３中を伝搬してきたレーザ光１０４の一方向の直線偏光成分のみ透過させる偏光子１０５と、このレーザ光１０４を集光する集光レンズ１０６と、この集光されたレーザ光１０４を受光する受光素子１０７とを有する。
【０００３】
図６に示すように、光ネットワークの保守点検及び工事などで、局装置とユーザ側通信装置との間の光伝送路内にある光コネクタ１０１がレセプタクル１０２から取り外されたとき、光コネクタ１０１の端面１０１ａが露出し、この端面１０１ａから光伝送媒体（フェルール等）１０３中を伝搬してきたレーザ光１０４が露光する。このレーザ光１０４は、強度が強いものである。そのため、端面１０１ａからレーザ光１０４が露光したとき、作業者はレーザ光１０４の照射を受けないように注意を払う必要があった。また、ユーザ側通信装置においても、光コネクタを取り外すことがあるので、レーザ光１０４が露光する。このときも、作業者はレーザ光の照射を受けないように注意を払う必要があった。
よって、このような従来の光コネクタでは、保守点検及び工事を行う作業者はレーザ光１０４の危険性を十分に理解すると共に、作業時にレーザ光１０４の照射を受けないように注意を払う必要があった。
【０００４】
一方、光コネクタを取り外してもレーザ光が外部に照射しない、遮光シャッター付きアダプタおよび遮光シャッター付き光モジュールレセプタクルがある（例えば、特許文献１を参照）。また、レーザ光を送出する通信装置に用いられるレーザ光遮断方式がある（例えば、特許文献２を参照）。さらに、光コネクタを光コネクタ受け口から取り外したとき、光コネクタに接続されている光ファイバから照射するレーザ光を遮断する光コネクタがある（例えば、特許文献３を参照）。
【０００５】
【特許文献１】
特開２００１−１９４５６２号公報  （第９段第３４行−第４６行、図２）
【特許文献２】
特開平５−７２４３４号公報  （第３段第２７行−第４段第１５行、図２及び図３及び図５）
【特許文献３】
特開平５−１９６８４１号公報    （第３段第１５行−第４段第１０行、図２及び図４）
【０００６】
【発明が解決しようとする課題】
しかしながら、特許文献１に記載の遮光シャッター付きアダプタ及び遮光シャッター付き光モジュールレセプタクル、特許文献２に記載のレーザ光遮断方式を使用するとき、既存設備との接続が困難であるため、既存のコネクタ形状を変更する必要がある。また、特許文献３に記載されている光コネクタは、光ファイバに対して垂直方向に光軸をずらす構造を有するため、光軸調整において微細な調整を行なう必要があり、量産しても生産コストがかかるという問題がある。
【０００７】
このようなことから、本発明は、光ファイバの接続箇所から露光するレーザ光の強度を減衰させることを目的としてなされたものである。
【０００８】
【課題を解決するための手段】
前述した課題を解決する第１の発明に係るレーザ光減衰装置は、レーザ光の強度を減衰するレーザ光減衰装置であって、レーザ光を伝搬し、端面同士が向き合わされてなる二つの光伝送媒体と、前記光伝送媒体同士を繋ぎ合わせる接続部材とを有し、前記光伝送媒体から相対する前記光伝送媒体に外力を加えることにより、前記接続部材が収縮して前記光伝送媒体の端面同士が突き合わされ、前記外力を除くことにより、前記接続部材が復元して前記光伝送媒体の端面同士が離隔することを特徴とする。
この発明に係るレーザ光減衰装置によれば、外力を加えると接続部材が収縮して、２つの光伝送媒体の端面同士が突き合わされるので、２つの光伝送媒体の間をレーザ光の強度が減衰せずにレーザ光が伝搬し、外力を除くと接続部材が復元して、２つの光伝送媒体の端面同士が離隔するので、光伝送媒体から露光したレーザ光の強度が減衰する。
【０００９】
前述した課題を解決する第２の発明に係るレーザ光減衰装置は、第１の発明において、前記接続部材がスプリングであることを特徴とする。
【００１０】
前述した課題を解決する第３の発明に係る光コネクタ受け口は、第１または第２の発明に係るレーザ光減衰装置を内部に有し、光コネクタを嵌合する光コネクタ受け口であって、前記光コネクタを差し込むことにより、前記接続部材が収縮して前記光伝送媒体の端面同士が突き合わされ、前記光コネクタを引き抜くことにより、前記接続部材が復元して前記光伝送媒体の端面同士が離隔することを特徴とする。
この発明に係る光コネクタ受け口によれば、光コネクタを差し込むと接続部材が収縮して、２つの光伝送媒体の端面同士が突き合わされるので、光コネクタ受け口と光コネクタとの間をレーザ光の強度が減衰せずにレーザ光が伝搬し、光コネクタを引き抜くと接続部材が復元し、２つの光伝送媒体の端面同士が離隔するので、光コネクタ受け口から露光したレーザ光の強度が減衰する。
【００１１】
前述した課題を解決する第４の発明に係る光コネクタは、第１または第２の発明に係るレーザ光減衰装置を内部に有し、光ファイバの端面に設けられ、光コネクタ受け口に嵌合される光コネクタであって、前記光コネクタ受け口に差し込むことにより、前記接続部材が収縮して前記光伝送媒体の端面同士が突き合わされ、前記光コネクタ受け口から引き抜くことにより、前記接続部材が復元して前記光伝送媒体の端面同士が離隔することを特徴とする。
この発明に係る光コネクタによれば、光コネクタ受け口に差し込むと接続部材が収縮して、２つの光伝送媒体の端面同士が突き合わされるので、光コネクタと光コネクタ受け口との間をレーザ光の強度が減衰せずにレーザ光が伝搬し、光コネクタ受け口を引き抜くと接続部材が復元し、２つの光伝送媒体の端面同士が離隔するので、光コネクタから露光したレーザ光の強度が減衰する。
【００１２】
前述した課題を解決する第５の発明に係る光コネクタ接続アダプタは、第１または第２の発明に係るレーザ光減衰装置を内部に有し、光コネクタ同士を接続する光コネクタ接続アダプタであって、前記光コネクタを差し込むことにより、前記接続部材が収縮して前記光伝送媒体の端面同士が突き合わされ、前記光コネクタを引き抜くことにより、前記接続部材が復元して前記光伝送媒体の端面同士が離隔することを特徴とする。
この発明に係る光コネクタ接続アダプタによれば、光コネクタを差し込むと接続部材が収縮して、２つの光伝送媒体の端面同士が突き合わされるので、光コネクタ接続アダプタと光コネクタとの間をレーザ光の強度が減衰せずにレーザ光が伝搬し、光コネクタを引き抜くと接続部材が復元し、２つの光伝送媒体の端面同士が離隔するので、光コネクタ接続アダプタから露光したレーザ光の強度が減衰する。
【００１３】
【発明の実施の形態】
本発明に係るレーザ光減衰装置、この装置を有する光コネクタ受け口及び光コネクタ並びに光コネクタ接続アダプタの実施の形態を以下に説明する。
【００１４】
図１は、本発明の実施の一形態に係るレーザ光減衰装置の断面図である。
図１に示すように、レーザ光減衰装置１は、レーザ光が伝搬する第１光伝送媒体４及び第２光伝送媒体５と、第１光伝送媒体４と第２光伝送媒体５とを繋ぎ合わせる接続部材６とを有する。接続部材６は、伸縮機能を有するスプリング２と、このスプリング２を第１光伝送媒体４及び第２光伝送媒体５に固定する固定具３とからなる。ここで、第１光伝送媒体４の端面４ａと第２光伝送媒体５の端面５ａが空間を介して向き合わされるように、第１光伝送媒体４と第２光伝送媒体５は配置される。
なお、第１光伝送媒体４及び第２光伝送媒体５は、例えば光ファイバ及びフェルールなど、レーザ光を伝搬するものである。一方、スプリング２は、ゴムなど、外力を加えたときに形がひずみ、この外力を緩めると元に戻る特性を有するものであれば良い。
【００１５】
ここで、第１光伝送媒体４の端面と第２光伝送媒体５の端面との間隔ｚ、つまり、光ファイバ結合面間の間隔と損失との関係は、一般的に下記の計算式で求められる。
【００１６】
損失［ｄＢ］＝−１０・ｌｏｇ（４ω４／（４ω４＋（ｚλ／π）２））
ただし、ωは光ファイバコアの半径＝４．５μｍ、λはレーザ光の波長＝１．３μｍ、ｚは光ファイバ結合面間の間隔［μｍ］である。
【００１７】
光ファイバ結合面間の間隔と損失との関係は、横軸に光ファイバ結合面間の間隔、縦軸に損失をとると、図２に示すような曲線になる。ここで、光ファイバ結合面間の間隔、つまり、第１光伝送媒体４の端面４ａと第２光伝送媒体５の端面５ａとの間隔ｚが１［ｍｍ］あるとすると損失が約２０［ｄＢ］となり、入力レーザ光の強度に対して、出力レーザ光の強度が１００分の１になる。つまり、間隔ｚを変更することにより、レーザ光の強度の減衰を調整することができる。
【００１８】
次に、第１光伝送媒体４と第２光伝送媒体５とスプリング２との関係について説明する。
第１光伝送媒体４から第２光伝送媒体５へ、若しくは第２光伝送媒体５から第１光伝送媒体４へ外力を加えることにより、スプリング２が収縮し、第１光伝送媒体４の端面４ａと第２光伝送媒体５の端面５ａとが突き合わせられる。よって、第１光伝送媒体４と第２光伝送媒体５との間を、レーザ光の強度が減衰せずにレーザ光が伝播する。
一方、第１光伝送媒体４から第２光伝送媒体５への外力、若しくは第２光伝送媒体５から第１光伝送媒体４への外力を除くことにより、スプリング２が復元し、第１光伝送媒体４の端面４ａと第２光伝送媒体５の端面５ａとが離隔し、その間隔がｚになる。よって、第１光伝送媒体４の端面４ａ若しくは第２光伝送媒体５の端面５ａから露光したレーザ光の強度は減衰される。
【００１９】
したがって、外力を加えると、スプリング２が収縮し、第１光伝送媒体４の端面４ａが第２光伝送媒体５の端面５ａに突き合わせられるのでレーザ光の強度が減衰されずにレーザ光が伝搬し、外力を除くと、スプリング２が復元し、第１光伝送媒体４の端面４ａと第２光伝送媒体５の端面５ａとが離隔するのでレーザ光の強度が減衰する。つまり、レーザ光の強度を減衰させないレーザ光の伝搬とレーザ光の強度を減衰させたレーザ光の伝播とを容易に切り替えることができる。
【００２０】
図３は、本発明の実施の一形態に係るレーザ光減衰装置を用いた光コネクタ受け口を示し、（ａ）は光通信装置間の接続を示す概略図、（ｂ）は光コネクタ受け口に光コネクタを嵌合した状態を示す斜視図である。
図３（ａ）に示すように、光通信装置１３内に設けられた光コネクタ受け口１０と光ファイバ１２の端面に設けられた光コネクタ１１とを嵌合することにより、２つの通信装置１３の間をレーザ光が伝搬する。図３（ｂ）に示すように、光コネクタ受け口１０内に、図１に示したレーザ光減衰装置１が設けられる。なお、第２光伝送媒体５の外側から光コネクタ１１が差し込まれるときは、第１光伝送媒体４が光通信装置１３内に接続し、第１光伝送媒体４の外側から光コネクタ１１が差し込まれるときは、第２光伝送媒体５が光通信装置１３内に接続する。光コネクタ受け口１０は、既存の光コネクタと接続することができる形状を有する。
【００２１】
ここで、図３（ｂ）に示すように、第２光伝送媒体５の外側から光コネクタ１１が差し込まれ、第１光伝送媒体４が光通信装置１３内に接続される構造を有する光コネクタ受け口１０を用いて説明する。
光コネクタ１１を光コネクタ受け口１０に差し込むと、光コネクタ１１の端面が第２光伝送媒体５に突き当たり、第２光伝送媒体５が内側に押し込まれることにより、スプリング２が収縮する。そのため、第２光伝送媒体５が第１光伝送媒体４に突き合わせられる。よって、光ファイバ１２、光コネクタ１１、光コネクタ受け口１０を介して光通信装置１３の間を、レーザ光の強度が減衰せずにレーザ光が伝搬する。
【００２２】
一方、光コネクタ１１を光コネクタ受け口１０から引き抜くと、スプリング２が復元し、光コネクタ１１内の第１光伝送媒体４と第２光伝送媒体５とが離隔する。このとき、この間隔が前述したｚになり、光通信装置１３内の光コネクタ受け口１０から露光したレーザ光の強度は減衰される。なお、レーザ光減衰装置１内にある第１光伝送媒体４の端面４ａと第２光伝送媒体５の端面５ａと間の間隔ｚは、図２に示す特性を有するので、間隔ｚを変更することにより、レーザ光の強度の減衰を調整することができる。
【００２３】
したがって、光コネクタ１１を光コネクタ受け口１０から引き抜くことによりレーザ光の強度が減衰するので、光通信装置１３からのレーザ光の露光に注意を払う必要が無く、保守点検及び工事を行なうときの取り扱い性が良くなる。さらに、光コネクタ受け口１０を既存の光コネクタに接続することができるので、敷設コストを抑えることができる。
【００２４】
図４は、本発明の実施の一形態に係るレーザ光減衰装置を有する光コネクタを示し、（ａ）は光コネクタ受け口に光コネクタを接続する状態を示す断面図、（ｂ）は光コネクタ受け口に光コネクタが嵌合した状態を示す断面図である。
図４に示すように、光コネクタ２０は、光コネクタ受け口２１と嵌合する構造を有する。光コネクタ２０内に、図１に示したレーザ光減衰装置１が設けられる。なお、図４に示す第１フェルール２２は図１に示す第１光伝送媒体４に相当し、図４に示す第２フェルール２３は図１に示す第２光伝送媒体５に相当する。また、光コネクタ２０には、光コネクタ受け口２１との結合力を保持する結合力把持スプリング２４が設けられる。また、スプリング２は、結合力把持スプリング２４が収縮するのに必要な外力より弱い外力にて収縮する特性を有する。なお、光コネクタ２０は、既存の光コネクタ受け口と接続することができる形状を有する。
また、光コネクタ受け口２１は、光コネクタ２０の第１フェルール２２が差し込まれる弾性割スリーブ２５と、この弾性割スリーブ２５の先に光コネクタ２０側の第１フェルール２２に突き合わされるフェルール２６とを有する。弾性割スリーブ２５は、第１フェルール２２をフェルール２６に導入すると共に、第１フェルール２２を保持する。
【００２５】
光コネクタ２０を光コネクタ受け口２１に差し込むと、フェルール２６の端面２６ａが第１フェルール２２の端面２２ｂに突き当たり、第１フェルール２２が内側に押し込まれることにより、スプリング２が収縮する。そのため、第１フェルール２２の端面２２ａが第２フェルール２３の端面２３ａに突き合わせられる。よって、光コネクタ２０と光コネクタ受け口２１との間を、レーザ光の強度が減衰せずにレーザ光が伝搬する。
【００２６】
一方、光コネクタ２０を光コネクタ受け口２１から引き抜くと、スプリング２が復元し、光コネクタ２０内の第１フェルール２２の端面２２ａと第２フェルール２３の端面２３ａとが離隔する。このとき、この間隔が上述したｚになり、光コネクタ２０から露光したレーザ光の強度は減衰される。なお、レーザ光減衰装置１内にある第１フェルール２２の端面２２ａと第２フェルール２３の端面２３ａとの間の間隔ｚは、図２に示す特性を有するので、間隔ｚを変更することにより、レーザ光の強度の減衰を調整することができる。
【００２７】
したがって、光コネクタ２０を光コネクタ受け口２１から引き抜くことによりレーザ光の強度が減衰するので、光コネクタ２０からのレーザ光の露光に注意を払う必要が無く、保守点検及び工事などを行なうときの取り扱い性が良くなる。さらに、光コネクタ２０を既存の光コネクタに接続することができるので、敷設コストを抑えることができる。
【００２８】
図５は、本発明の実施の一形態に係るレーザ光減衰装置を有する光コネクタ接続アダプタを示し、（ａ）は光コネクタ接続アダプタに光コネクタを接続する状態を示す斜視図、（ｂ）は光コネクタ接続アダプタに光コネクタを差し込んだ状態を示す斜視図、（ｃ）は光コネクタ接続アダプタから光コネクタを引き抜いた状態を示す斜視図である。
【００２９】
図５に示すように、光コネクタ接続アダプタ３０は、光コネクタ３１同士を接続する構造を有する。光コネクタ接続アダプタ３０内に、図１に示すレーザ光減衰装置１が設けられる。また、光コネクタ接続アダプタ３０には、光コネクタ３１の光ファイバ３２が差し込まれる弾性割スリーブ３３が設けられる。この弾性割スリーブ３３は、光コネクタ３１の光ファイバ３２を第１光伝送媒体４若しくは第２光伝送媒体５に導入すると共に、光ファイバ３２を保持する。なお、光コネクタ接続アダプタ３０は、既存の光コネクタを接続することができる形状を有する。
【００３０】
光コネクタ接続アダプタ３０の両端から光コネクタ３１を差し込むと、一方では光ファイバ３２の端面３２ａが第１光伝送媒体４の端面４ａに突き当たり、もう一方では光ファイバ３２の端面３２ａが第２光伝送媒体５の端面５ｂに突き当たる。光コネクタ接続アダプタ３０の両端から光ファイバ３１を内側に押し込むことにより、スプリング２が収縮する。そのため、図５（ｂ）に示すように、第１光伝送媒体４の端面４ａと第２光伝送媒体５の端面５ａとが突き合わせられる。よって、一方の光コネクタ３１から光コネクタ接続アダプタ３０を介して、もう一方の光コネクタ３１へ、レーザ光の強度が減衰せずにレーザ光が伝搬する。
【００３１】
一方、光コネクタ接続アダプタ３０からいずれか一方の光コネクタ３１を引き抜くと、スプリング２が復元し、図５（ｃ）に示すように、光コネクタ内の第１光伝送媒体４の端面４ａと第２光伝送媒体５の端面５ａとが離隔する。このとき、この間隔が上述したｚになり、光コネクタ接続アダプタ３０から露光したレーザ光の強度は減衰される。なお、レーザ光減衰装置１内にある第１光伝送媒体４の端面４ａと第２光伝送媒体５の端面５ａとの間の間隔ｚは、図２に示す特性を有するので、間隔ｚを変更することにより、レーザ光の強度の減衰を調整することができる。
【００３２】
したがって、光コネクタ３１を光コネクタ接続アダプタ３０から引き抜くことによりレーザ光の強度が減衰するので、光コネクタ接続アダプタ３０からのレーザ光の露光に注意を払う必要がなく、保守点検及び工事を行うときの取り扱い性が良くなる。さらに、光コネクタ接続アダプタ３０は、既存の光ファイバに接続することができる形状を有するので、敷設コストを抑えることができる。
【００３３】
また、上述した発明の実施の形態では、一方向に伝搬するレーザ光の強度を減衰するようにしたものであるが、光コネクタ、光コネクタ受け口、光コネクタ接続アダプタのそれぞれにレーザ光減衰装置を設けることにより、双方向に伝搬するレーザ光の強度を減衰するようにしたものであっても良い。
【００３４】
【発明の効果】
以上、発明の実施の形態と共に具体的に説明したように、本発明に係るレーザ光減衰装置によれば、第１光伝送媒体又は第２光伝送媒体に外力を加えることにより、スプリングが収縮して、第１光伝送媒体の端面と第２光伝送媒体の端面とが突き合わせられるのでレーザ光の強度が減衰せずにレーザ光が伝搬し、この外力を除くことにより、スプリングが復元して、第１光伝送媒体の端面と第２光伝送媒体の端面とが離隔するのでレーザ光の強度が減衰する。よって、光ファイバの接続箇所にて、レーザ光の強度を容易に調整できる。
【００３５】
また、本発明に係るレーザ光減衰装置を有する光コネクタ受け口及び光コネクタ並びに光コネクタ接続アダプタによれば、レーザ光減衰装置が有するレーザ光を伝搬する機能及びレーザ光の強度を減衰する機能を有するので、光ネットワーク（ユーザ側通信装置を含む）内をレーザ光が伝搬しているとき、光コネクタ受け口及び光コネクタ並びに光コネクタ接続アダプタを引き抜くと、露光したレーザ光の強度は減衰される。そのため、光ファイバの接続箇所において、レーザ光が露光しても、レーザ光の強度が減衰した状態になっているので、保守点検及び工事などを行うときの取り扱い性が良くなる。
さらに、既に敷設されている光ファイバのインターフェイスとの互換性があり、既存光ファイバをそのまま使用することができので、敷設コストを抑えることができる。
【図面の簡単な説明】
【図１】本発明の実施の一形態に係るレーザ光減衰装置の断面図である。
【図２】本発明の実施の一形態に係るレーザ光減衰装置を用いた、二つの光伝送路間の離隔距離とレーザ光の損失特性を示すグラフである。
【図３】本発明の実施の一形態に係るレーザ光減衰装置を用いた光コネクタ受け口を示し、（ａ）は光通信装置間の接続を示す概略図、（ｂ）は光コネクタ受け口に光コネクタを嵌合した状態を示す斜視図である。
【図４】本発明の実施の一形態に係るレーザ光減衰装置を有する光コネクタを示し、（ａ）は光コネクタ受け口に光コネクタを接続する状態を示す断面図、（ｂ）は光コネクタ受け口に光コネクタが嵌合した状態を示す断面図である。
【図５】本発明の実施の一形態に係るレーザ光減衰装置を有する光コネクタ接続アダプタを示し、（ａ）は光コネクタ接続アダプタに光コネクタを接続する状態を示す斜視図、（ｂ）は光コネクタ接続アダプタに光コネクタを差し込んだ状態を示す斜視図、（ｃ）は光コネクタ接続アダプタから光コネクタを引き抜いた状態を示す斜視図である。
【図６】従来の光コネクタの断面図である。
【符号の説明】
１        レーザ光減衰装置
２        スプリング
３        固定具
４        第１光伝送媒体
５        第２光伝送媒体
６        連結部材
１０      光コネクタ受け口
１１      光コネクタ
１２      光ファイバ
１３      光通信装置
２０      光コネクタ
２１      光コネクタ受け口
２２      第１フェルール
２３      第２フェルール
２４      結合力把持スプリング
２５      弾性割スリーブ
２６      光ファイバ
３０      光コネクタ接続アダプタ
３１      光コネクタ
３２      光ファイバ
３３      弾性割スリーブ
【図１】
2004264738.tif 000003
【図２】
2004264738.tif 000004
【図３】
2004264738.tif 000005
【図４】
2004264738.tif 000006
【図５】
2004264738.tif 000007
【図６】
2004264738.tif 000008